(57)【要約】【課題】廉価に作製でき、印字特性に優れ、さらに開封作業も簡単かつ確実に行える隠蔽シートを提供すること。【解決手段】上紙１１と下紙１２を貼り合わせたシートを折り線１３で第１領域２１と第２領域２２の２つの領域に区画し、上紙１１の周縁部に沿って形成した切り取り線１４の内側に情報記入欄２５を設け、第１領域２１では切り取り線１４よりも外側について上紙１１と下紙１２を剥離剤層３１と粘着剤層３２によって剥離後貼付できるように接着する一方、第２領域２２では切り取り線１４よりも外側について上紙１１と下紙１２を剥離剤層３１と接着剤層３３によって剥離後再貼付が困難となるように疑似接着する。【選択図】図２
2008273150.tif 000002
【特許請求の範囲】
【請求項１】
上紙と下紙を貼り合わせたシートが折り線を介して２つの領域に区画され、上紙の周縁部に沿って形成された切り取り線よりも内側に情報記入欄が設けられており、２つの領域のうち、一方の領域における切り取り線よりも外側では上紙と下紙が剥離後貼付可能に接着されているとともに、他方の領域における切り取り線よりも外側では上紙と下紙が剥離後再貼付困難に疑似接着されていることを特徴とする隠蔽シート。
【請求項２】
情報記入欄について上紙と下紙が剥離可能に疑似接着されていることを特徴とする請求項１に記載の隠蔽シート。
【請求項３】
シートの周縁部に糊類を塗布しない余白部が設けられていることを特徴とする請求項１又は２に記載の隠蔽シート。
【請求項４】
２つの領域のいずれか一方側の端部に摘み代が連接されていることを特徴とする請求項１乃至３のいずれか１項に記載の隠蔽シート。
【発明の詳細な説明】
【技術分野】
【０００１】
本発明は、印字した情報を隠蔽できる隠蔽シートに関する。
【背景技術】
【０００２】
従来、例えば納品書や請求書のように、利用者に購入品目や支払金額等の明細を通知する場合に、図１３に示すような隠蔽シートが使用されている。
【０００３】
図１３に示すように、この隠蔽シート５０は、ラベル５１と剥離紙５２が貼り合わされたラベル原紙を使用して作製されている。ラベル原紙の中央部には折りミシン目５３が形成されており、隠蔽シート５０は折りミシン目５３を介して２つ折り可能になっている。また、ラベル原紙の周縁４辺には開封用の切り取りミシン目５４が形成されている。
【０００４】
図１３（ａ）に示すように、使用時にはまずプリンタで剥離紙５２に情報を印字し、一方側の切り取りミシン目５４に沿って剥離紙５２の周縁部を剥がし取り、その部分だけラベル５１の粘着剤を露出させる。そして、図１３（ｂ）に示すように、隠蔽シート５０を折りミシン目５３で折り畳んで貼り合わせることにより、剥離紙５２に印字された情報を隠蔽できるようになっている。
【０００５】
また、図１３（ｃ）に示すように、開封時には貼り合わされた隠蔽シート５０の周縁部３箇所を切り取りミシン目５４に従って切り離す。そして、図１３（ｄ）に示すように、残された隠蔽シート５０を見開き状態にすることにより、隠蔽されていた情報を確認することができる。
【０００６】
なお、下記の特許文献１には、図１３に示した隠蔽シートと同様に、折り畳んで貼り合わせることにより情報を隠蔽するプリント用紙に関する発明が開示されている。
【０００７】
【特許文献１】特開昭６１−３４５５０号公報
【発明の開示】
【発明が解決しようとする課題】
【０００８】
ところが、上述したような従来の隠蔽シートによると、以下のような問題点が指摘されている。
【０００９】
（１）高価なラベル原紙を使用して作製しているため、材料費が高価であり、製品のコストが高くなってしまう。
【００１０】
（２）ラベル原紙はラベル全面に粘着剤を塗布してあるため、剥離紙にプリンタで印字する際に紙端部分から粘着剤がはみ出し、プリンタを汚して印字が不鮮明になる等のトラブルが発生する。
【００１１】
（３）利用者にとっては、開封時に隠蔽シートの周縁部３箇所にある切り取りミシン目を切断しなければならず、開封作業が面倒である。また、開封時に誤って隠蔽情報を破損してしまうこともある。
【００１２】
本発明は以上のような問題を解決するためになされたものであり、その目的とするところは、廉価に作製でき、印字特性に優れ、さらに開封作業も簡単かつ確実に行える隠蔽シートを提供することにある。
【課題を解決するための手段】
【００１３】
上記の目的を達成するため、本発明の隠蔽シートは、上紙と下紙を貼り合わせたシートが折り線を介して２つの領域に区画され、上紙の周縁部に沿って形成された切り取り線よりも内側に情報記入欄が設けられており、２つの領域のうち、一方の領域における切り取り線よりも外側では上紙と下紙が剥離後貼付可能に接着されているとともに、他方の領域における切り取り線よりも外側では上紙と下紙が剥離後再貼付困難に疑似接着されていることを特徴とする。
【００１４】
また、本発明の隠蔽シートは、情報記入欄について上紙と下紙が剥離可能に疑似接着されていることを特徴とする。
【００１５】
また、本発明は、上記構成からなる隠蔽シートにおいて、シートの周縁部に糊類を塗布しない余白部が設けられていることを特徴とする。
【００１６】
本発明の隠蔽シートを使用する際には、まず一方の領域にある切り取り線に従って上紙の周縁部を剥がし取った後、折り線に沿ってシートを折り畳んで貼り合わせることにより２つの領域の対向面にある情報を隠蔽することができる。また、開封する際には、貼り合わされている上紙と下紙を剥がすことにより、一方の領域の周縁部が他方の領域の周縁部に接着した状態のまま疑似接着面を介して剥離されるので、隠蔽されていた情報を確認することができる。
【００１７】
なお、上記構成からなる隠蔽シートにおいて、２つの領域のいずれか一方側の端部に摘み代が連接されていると、開封する際に摘みができて剥がしやすくなる。
【発明の効果】
【００１８】
本発明の隠蔽シートによれば、以下のような作用効果が得られる。
【００１９】
（１）高価なラベル原紙を使用せず、２枚の用紙を貼り合わせたシートを使用して作製できるので、材料費が安く済み、製品のコストを低減できる。
【００２０】
（２）シートの周縁部に糊類を塗布しない余白部が設けられているので、プリンタでの印字時にシートの紙端部分から糊類がはみ出すことがなく、良好な印字が可能になる。
【００２１】
（３）開封時にミシン目を切断する必要がなく、貼り合わされた隠蔽シートの上紙と下紙を剥離するだけでよいので、開封作業が簡単に行える。また、開封時に誤って隠蔽情報を破損してしまうことがなく、開封作業を確実に行える。
【００２２】
（４）疑似接着構造を採用したことにより、開封した後に再度貼り付けることが困難になり、剥がした証拠が残るので、開封を検知することができる。
【発明を実施するための最良の形態】
【００２３】
以下、本発明の実施の形態について、図面を参照しながら説明する。
【００２４】
図１は隠蔽シートの外観を示す図である。
【００２５】
図１に示すように、本実施形態の隠蔽シート１０は、従来のようにラベル原紙を使用したものではなく、同一サイズの上質紙（上紙１１と下紙１２）を重ねて貼り合わせたシートを使用して作製したものである。
【００２６】
シートの中央部には折り線１３が形成されている。この折り線１３は、シートを折り畳みやすくし、かつ切り取りもできるようにするため、上紙１１と下紙１２をともに貫通するようにカットしたミシン目である。隠蔽シート１０は折り線１３を介して左右に２つの領域（以下、図中左側の領域を「第１領域」、右側の領域を「第２領域」という）に区画されている。
【００２７】
また、シートの周縁４辺に沿って切り取り線１４が形成されている。この切り取り線１４は、シートのうち上紙１１のみを貫通するようにカットしたスリットである。そして、切り取り線１４の外側の部分を切り離せるようになっており、第１領域２１の周縁部には逆「コ」字状の分離部２３が設けられ、第２領域２２の周縁部には「コ」字状の分離部２４が設けられている。また、切り取り線１４よりも内側の領域は情報記入欄２５になっている。
【００２８】
なお、本実施形態では、切り取り線１４についてアンカット部を有するスリットにしてあるが、アンカット部のない連続したスリットにしてもよい。
【００２９】
図２は隠蔽シートを構成する上紙と下紙の構成を示す図である。
【００３０】
図２（ａ）に示すように、上紙１１の裏面には切り取り線１４よりも外側の領域に限定して剥離剤を塗布した剥離剤層３１が設けられている。この剥離剤層３１は、分離部２３と分離部２４の両方の領域に同じように設けられている。ただし、上紙１１の周縁部、折り線１３の周辺部、および切り取り線１４の周辺部には、それぞれ剥離剤を塗布しない余白部３４を設けてあるとともに、情報記入欄２５に相当する領域についても何も塗布されていない。
【００３１】
なお、剥離剤としては、シリコーンを含有した紫外線硬化型インキを使用することができる。例えば市販のインキでは「ＮＶＲ  ＯＰニス  ＵＰ−２００」（株式会社Ｔ＆Ｋ  ＴＯＫＡ、製品名）が挙げられる。
【００３２】
図２（ｂ）に示すように、下紙１２は第１領域２１と第２領域２２とで構成が異なっている。第１領域２１では分離部２３と対応する領域に下紙１２に粘着剤を塗布した粘着剤層３２が設けられており、第２領域２２では分離部２４と対応する領域に下紙１２に接着剤を塗布した接着剤層３３が設けられている。また、第１領域２１と第２領域２２に共通して、情報記入欄２５と対応する領域に粘着剤層３２が設けられている。ただし、下紙１１の周縁部、折り線１３の周辺部、および切り取り線対応箇所の周辺部には、それぞれ粘着剤と接着剤を塗布しない余白部３４を設けてある。
【００３３】
なお、粘着剤としては一般に紙ラベル用に使用されているアクリル系エマルジョン型粘着剤が好適であり、市販のものでは強粘着剤「ＳＥ−７００１」（昭和高分子株式会社、製品名）が挙げられる。また、接着剤としては、剥離した後にベタツキがないものであればよく、感圧性接着剤を使用できる。市販の感圧性接着剤としては、例えば天然ゴム系ラテックス「Ａ７００Ｋ−０９」（株式会社レジテックス、製品名）が挙げられる。
【００３４】
図３は隠蔽シートの断面の状態を示す図である。
【００３５】
図３に示すように、この隠蔽シート１０は、第１領域２１についてみると、分離部２３では上紙裏面の剥離剤層３１と下紙表面の粘着剤層３２が接触することにより上紙１１と下紙１２が剥離可能に接着されている。それに対し、第２領域２２について、分離部２４の部分では上紙裏面の剥離剤層３１と下紙表面の接着剤層３３が接触することにより上紙１１と下紙１２が剥離可能に疑似接着されている。また、情報記入欄２５の部分では、いずれも上紙１１と下紙１２が粘着剤層３２によって剥離できないように完全接着されている。なお、剥離剤層３１と接着剤層３３の疑似接着面は一度剥離すると接着力が失われ、再度貼り付け直すことが困難になっている。
【００３６】
本実施形態の隠蔽シートは以上のように構成されており、以下その作用について説明する。
【００３７】
図４は隠蔽シートを納品書に適用した例を示す図であり、図５は同隠蔽シートの断面の状態を示す図である。
【００３８】
図４（ａ）に示すように、納品書の作製者は、上紙１１の情報記入欄２５に宛先、商品名、請求金額などの必要事項をプリンタで印字する。ここで、情報記入欄２５は、第１領域２１と第２領域２２の両方ともに上紙１１と下紙１２が粘着剤層３２によって完全に接着されているので、上紙１１と下紙１２の間に空気が入り込む余地がなくブカツキが起こらない。また、隠蔽シート１０の周縁部には粘着剤と接着剤を塗布しない余白部３４が設けられているので、シートの紙端部分から糊類がはみ出すこともない。したがって、プリンタでの搬送性に優れ、良好な印字が可能である。
【００３９】
次に、情報記入欄２５に印字した情報を隠蔽する。その方法は、まず第１領域２１の周縁部にある切り取り線１４に従って分離部２３を剥がし取る。上紙１１は裏面の剥離剤層３１によって接着力が弱められているので、分離部２３のみを簡単に剥がし取ることができる。これにより、図５（ａ）に示すように、下紙１２の周縁部の粘着剤層３２が露出する。
【００４０】
そして、図４（ｂ）に示すように、隠蔽シート１０を折り線１３で２つ折りし、第２領域２２の上に第１領域２１を重ねて貼り合わせる。これにより、隠蔽シート１０の周縁部では、図５（ｂ）に示すように下紙表面の粘着剤層３２によって分離部２３，２４同士が接着され、情報記入欄２５を隠蔽した状態にして通知できる。
【００４１】
それに対し、納品書の受取人は、次のようにして開封を行う。すなわち、図４（ｃ）に示すように、貼り合わされた隠蔽シート１０の上紙１１と下紙１２を剥離する。ここで、隠蔽シート１０の周縁部では分離部２３，２４同士が接着されているが、上紙１１と粘着剤層３２との間の接着力は、剥離剤層３１と接着剤層３３との間の接着力よりも強く、無理に剥離しようとすると紙破壊することが望ましい。また、第２領域２２には分離部２４を切り離すための切り取り線１４が形成されている。このため、図５（ｃ）に示すように、第２領域２２の分離部２４は第１領域２１の分離部２１に接着したまま上紙１１から切り離され、剥離剤層３１と接着剤層３３との間の疑似接着面を介して剥離される。
【００４２】
したがって、図４（ｄ）に示すように、隠蔽シート１０の上紙１１と下紙１２を剥離して見開き状態にすると、隠蔽されていた情報記入欄２５が現れて、印字されている宛先、商品名、請求金額などの必要事項を確認することができる。このように、本実施形態の隠蔽シート１０によれば、開封時に従来のようにミシン目を切断する必要がなく、簡単な作業で開封することができるので使い勝手がよい。しかも、分離部２３と情報記入欄２５、分離部２４と情報記入欄２５はそれぞれ切り取り線１４を介して切り離されるので、開封時に情報記入欄２５を誤って破いてしまうことがなく、確実な開封作業を行うことができる。
【００４３】
また、この隠蔽シート１０は、開封すると剥離剤層３１と接着剤層３３との間の疑似接着面を介して剥離され、剥離した後は接着剤層３３にはベトツキが残らず、再度貼り合わせることが困難になっている。このように、第２領域２２に設けた分離部２４に疑似接着構造を採用したことにより、剥がした後に再貼付できないようにし、開封された事実を検知できるようになっている。
【００４４】
なお、本実施形態では情報記入欄２５の部分について、上紙１１と下紙１２を粘着剤層３２で接着して剥離不能にしてあるが、図６に示すように下紙１２の表面に塗布した接着剤層３３によって上紙１１と下紙１２を剥離不能に接着することも可能である。また、情報記入欄２５を接着する際には、粘着剤層３２や接着剤層３３は下紙１２の表面でなく上紙１１の裏面に塗布するようにしてもよい。
【００４５】
次に、本発明の他の実施形態を説明する。上述した実施形態では情報記入欄２５を剥離不能な仕様にしてあるが、これに替えて、情報記入欄２５を剥離可能な仕様にすることもできる。
【００４６】
図７に示すように、この実施形態の隠蔽シート１０は、情報記入欄２５の部分について上紙１１の裏面に剥離剤層３１が塗布されており、これと対向する下紙１２の表面には接着剤層３３が塗布されている。これにより、情報記入欄２５の部分では、上紙１１と下紙１２が剥離剤層３１と接着剤層３３の境界面で剥離可能に疑似接着された構造になっている。その他の構成については上述した実施形態と同様であり、剥離剤と接着剤は既に例示したものを使用することができる。
【００４７】
この隠蔽シート１０によれば、基本的には図４で説明した方法と同じように隠蔽作業や開封作業を行うことができるが、本実施形態ではさらに、図８に示すように開封した後で情報記入欄２５の部分のみを下紙１２から剥がし取れるようになっている。また、剥離剤層３１と接着剤層３３は、例えば無色透明な剥離剤と接着剤を塗布することによって透視可能に構成されている。したがって、情報記入欄２５を剥がし取ったとき、図のように情報記入欄２５の裏面や下紙１２の表面にあらかじめ印刷しておいた広告等の情報Ａを目視できるようになるので、隠蔽シート１０に掲載する情報量を増やすことができる。また、情報記入欄２５を下紙１２から剥がし取ることによって、情報記入欄２５が薄くなりそのサイズも小さくなるので、情報記入欄２５が嵩張らずコンパクトに保管できるという利点もある。
【００４８】
ここで、情報記入欄２５を剥離可能に疑似接着する仕様としては、例えば図９に示すような構造を採用することもできる。
【００４９】
図９（ａ）に示す構造は、情報記入欄２５の部分について上紙１１の裏面に剥離剤層３１を全面的に塗布し、これと対向する下紙１２の表面に接着剤層３３を所定パターンで部分的に塗布して接着したものである。それに対し、図９（ｂ）に示す構造は、分離部２４と情報記入欄２５の部分について上紙１１の裏面と下紙１２の表面にそれぞれ感圧糊層３５を全面的に塗布し、両者を対向させて圧着したものである。これらの疑似接着構造によれば、上紙１１と下紙１２の接着力が弱められているので、情報記入欄２５をより軽い力で剥がし取ることができるとともに、情報記入欄２５の裏面にベトツキがなく保管に適したものとなる。
【００５０】
さらに、その他の疑似接着構造として、例えば図１０に示すような構造を採用してもよい。
【００５１】
図１０（ａ）に示す構造は、剥離剤の層間剥離を利用したもので、分離部２４と情報記入欄２５の部分について下紙１１の表面に粘着剤層３２を塗布し、その上にカチオン重合シリコーンを塗布した層間剥離剤層３６を設けるとともに、上紙１１の裏面にカチオン重合シリコーンの重合を妨げるアルカリ性物質を含有した硬化阻害剤層３７を設けたものである。この構造によれば、硬化阻害剤層３７を構成するアルカリ性物質が浸透して層間剥離剤層３６が未硬化状態に保たれているので、剥離時に未硬化の層間剥離剤層３６が図中Ｂで示す部分で層間剥離して粘着剤層３２の上に残り、下紙１２から情報記入欄２５を剥がし取ることができる。
【００５２】
また、図１０（ｂ）に示す構造は、接着剤の凝集破壊を利用したもので、分離部２４と情報記入欄２５の部分について上紙１１の裏面又は下紙１２の表面に凝集力の弱い接着剤を塗布した凝集破壊接着剤層３８を設けて接着したものである。このような接着剤としては、例えば「ＱＹ  ５５０ＤＷＴ」（有限会社クォーユー化成、製品名）が挙げられる。この構造によれば、接着剤の凝集力が弱いので、剥離時に凝集破壊接着剤層３８それ自体が図中Ｃで示す部分で凝集破壊を起こし、下紙１２から情報記入欄２５を剥がし取ることができる。
【００５３】
なお、上述した各実施形態について、開封時に剥がしやすくするために、図１１および図１２に示すような構造を採用してもよい。すなわち、同図に示した隠蔽シート１０は、第２領域２２の右端部分を延長して摘み代２６を連接したものである。また、第２領域２２と摘み代２６との境界には切り取り線１４が形成されており、この切り取り線１４は上紙１１のみをカットしたスリットになっている。その他の構成は上述した実施形態のものと同様である。
【００５４】
この隠蔽シート１０によると、シートを２つ折りして貼り合わせたときに摘み代２６が余るので、この摘み代２６を摘んで剥がすようにすれば、より簡単に上紙１１と下紙１２を剥がして開封することができる。
【図面の簡単な説明】
【００５５】
【図１】本発明の隠蔽シートを示す外観図。
【図２】図１の隠蔽シートの（ａ）上紙の裏面を示す平面図、（ｂ）下紙の表面を示す平面図。
【図３】図１の隠蔽シートのＸ−Ｘ線断面図。
【図４】図１の隠蔽シートの使用方法を示す説明図。
【図５】図４の隠蔽シートの（ａ）Ｘ−Ｘ線断面図、（ｂ）Ｙ−Ｙ線断面図、（ｃ）Ｚ−Ｚ線断面図。
【図６】隠蔽シートの情報記入欄について粘着剤層に替えて接着剤層で接着した例を示す断面図。
【図７】隠蔽シートの情報記入欄を剥離可能に疑似接着した一例を示す断面図。
【図８】図７の隠蔽シートの使用方法を示す説明図。
【図９】隠蔽シートの情報記入欄を剥離可能に疑似接着した他の例を示す断面図。
【図１０】隠蔽シートの情報記入欄を剥離可能に疑似接着したさらに他の例を示す断面図。
【図１１】本発明の隠蔽シートの変形例を示す外観図。
【図１２】図１１の隠蔽シートのＸ−Ｘ線断面図。
【図１３】従来の隠蔽シートを示す説明図。
【符号の説明】
【００５６】
１０  隠蔽シート
１１  上紙
１２  下紙
１３  折り線
１４  切り取り線
２１  第１領域
２２  第２領域
２３  分離部
２４  分離部
２５  情報記入欄
２６  摘み代
３１  剥離剤層
３２  粘着剤層
３３  接着剤層
３４  余白部
３５  感圧糊層
３６  層間剥離剤層
３７  硬化阻害剤層
３８  凝集破壊接着剤層
【図１】
2008273150.tif 000003
【図２】
2008273150.tif 000004
【図３】
2008273150.tif 000005
【図４】
2008273150.tif 000006
【図５】
2008273150.tif 000007
【図６】
2008273150.tif 000008
【図７】
2008273150.tif 000009
【図８】
2008273150.tif 000010
【図９】
2008273150.tif 000011
【図１０】
2008273150.tif 000012
【図１１】
2008273150.tif 000013
【図１２】
2008273150.tif 000014
【図１３】
2008273150.tif 000015